(57)【特許請求の範囲】
【請求項１】
画像レシーバ用コーティングを主要面の片面のみに施された画像レシーバシートが画像を印刷されるに適切な向きに置かれている事を確認する方法であって、
（ａ）画像レシーバシートのほぼ直線な辺の少なくとも１つに沿って画像レシーバ用のコーティングを施された主要面との関係から予め決定された位置に不規則な形状の部分を形成するステップと、
（ｂ）画像が上記画像レシーバシートに印刷される前に予め決定された位置に前記不規則形部分が存在するかどうかを検知するステップと、さらに、
（ｃ）前記不規則形部分が検知されない場合には画像が画像レシーバシートに印刷されるのを選択的に抑止するステップと、
を含むことを特徴とする画像レシーバシートの印刷面の検知方法。
【請求項２】
請求項１に記載された方法であって、
ステップ（ａ）の実行において、前記不規則形部分が凹んだノッチ型または凹んだ弓型または凹んだ切れ目であることを特徴とする方法。
【請求項３】
請求項１に記載された方法であって、
ステップ（ｂ）の実行において、画像レシーバシートの少なくとも１辺に沿って予め決定された位置に不規則形部分が存在するかどうかを検知する機械的検知装置を使用することを特徴とする方法。
【請求項４】
請求項１に記載された方法であって、
ステップ（ｂ）の実行において、画像レシーバシートの少なくとも１辺に沿って予め決定された位置に不規則形部分が存在するかどうかを検知する光学的検知装置を使用することを特徴とする方法。
【請求項５】
請求項４に記載された方法であって、
ステップ（ｂ）の実行において、画像レシーバシートが画像レシーバシート上に印刷が行われる印刷領域に到達する前の前記シートの送り経路に光学的検知装置を配置する方法。
【請求項６】
特定の一方の主要面のみに画像レシーバ用コーティングが施された画像レシーバシートに別々の画像が印刷されるような印刷装置であって、
その印刷装置は、
画像レシーバシートのほぼ直線なエッジの少なくとも１辺に画像レシーバ用コーティングを施された片方の主要面との関係から予め決定された位置に形成された不規則形の部分と、
画像レシーバシートに画像が印刷されるに先行して前記不規則形部分が予め決定された位置に存在するかどうかを検知して、不規則形部分の存在を検出した事に反応して１番目と評価された信号を出力し、さらに不規則形部分の欠如を検出した事に反応して第二の値を有する信号を出力するような検知装置と、さらに、
検知装置から出力された第一の値を有する出力信号に反応して画像レシーバシート上に画像を選択的に印刷するような選択的手段を含む。
【請求項７】
請求項６に記載された印刷装置であって、
不規則形部分が凹んだノッチ型、凹んだ弓型もしくは凹んだ切れ目からなるグループの中から選択される装置。
【請求項８】
請求項６に記載された装置であって、
前記検知装置が画像レシーバシートの少なくとも１辺の予め決定された位置に前ん記不規則形部分が存在するかもしくは欠如しているかにそれぞれ反応して、１番目もしくは第二の値を有する出力信号を生産する機械的装置であるもの。
【請求項９】
請求項８に記載された印刷装置であって、
前記機械的装置が画像レシーバシートが設置トレイ内に適切に設置されている場合には画像レシーバシートの不規則形部分に連動する第一の位置を取り、画像レシーバシートが設置トレイの中に不適切に設置されている場合には画像レシーバシートのエッジに連動する第二の位置を取るような可動レバーと、
さらに、前記可動レバーが第一の位置にあると判断された場合にはそれに反応して前記可動レバーに連動した第一の値を有する出力信号を生産し、さらに前記可動レバーが第二の位置にあると判断された場合には第二の値を有するような信号を生産するような信号送信装置。
【請求項１０】
請求項６に記載された印刷装置であって、
前記検知装置が前記レシーバシートの少なくとも１辺に沿った予め決定された位置に不規則形部分が存在するかどうかの検知結果に反応して、それぞれ１番目もしくは第二の値を有する出力信号を生産する光学的検知装置であるもの。
【請求項１１】
請求項１０に記載された印刷装置であって、
前記光学的検知装置が画像レシーバシートが設置用トレイに適切に設置された場合に第一の値を有する出力信号を生産し、画像レシーバシートが設置トレイ内に不適切に設置された事によって前記の光が遮られた場合に第二の値を有するような出力信号を生産するように画像レシーバシートの不規則形部分を通して投影された光を受け取るよう配置された第１の光学センサを含むもの。
【請求項１２】
請求項１０に記載された印刷装置であって、
前記光学的検知装置が（ａ）画像レシーバシートが（画像レシーバシートに）画像印刷が行なわれる印刷領域に達するに先行するシートの送り経路内に配置され、さらに、
（ｂ）画像レシーバシートが送り経路内で適切な向きに置かれている場合にはその不規則形部分が第１の光学センサの付近を移動する時に第一の値を有する出力信号を生産し、画像レシーバシートが第１の光学センサの付近を移動する際に不規則形部分がないために前記光ビームがシートよって遮られた場合には第二の値を有する出力信号を生産するように、そのシートの不規則形部分を通して投影される光ビームを受け取るような位置に置かれた第１の光学センサを含む装置。
【請求項１３】
請求項１２に記載された印刷装置であって、
前記光学的検知装置が、さらに、画像レシーバシートの前縁が通過する際に第一の値を有する出力信号を生産するように送り経路内に配置された第２の光学センサを含み、第１と第２の光学センサから個々に出力される第一の値を有する出力信号の組合せが画像レシーバシートが適切な向きに置かれている事を示す装置。
【発明の詳細な説明】
【０００１】
【産業上の利用分野】
本発明は、画像レシーバシートの予め定められた主要面が印刷過程において画像を正確に受け取るような方向に向けられているかどうかを検知する技術に関する。この画像レシーバの主要面には画像レシーバ用のコーティングが施されている。
【０００２】
【従来の技術】
従来の印刷機においては、向かい合う主要面の片方もしくは両方がカラー画像を受信し再生するために最適となるように処理もしくはコーティングされた画像レシーバ用シートが使用されている。これらの片方もしくは両方の主要面に施されたコーティングは比較的複雑でなおかつ高価なコーティング過程によって多層に形成されている。このようにコーティング過程が複雑かつ高価である事から、画像レシーバシートの片面のみをコーティングして画像レシーバシートのコストを下げる事は非常に有効なことである。このようなコストの削減は前記の画像レシーバシートが透明な場合にも達成することができる。
【０００３】
例えば、画像（染料）レシーバシートの片面のみに画像を形成するサーマルプリンタにおいて、染料を受け取るようにコーティングされた主要面が片面しかない場合は画像（染料）レシーバシートをプリンタの印刷領域内で適切な向きに配置する事は、極めて重要である。詳細に言えば、片面のみコーティングされた画像（染料）レシーバ用シートが、サーマルプリンタ内において、コーティングされていない面（主要面でない面）を染料を受け取る（印刷される）側にさらして配置される恐れがあるという問題が生じる。もし、画像（染料）レシーバシートを適切に配置できなかった場合には、カラー画像が再生されないという結果を生じる。すなわち、印刷処理の効率を減少させてしまう。
【０００４】
この問題に対する解決法の１つがコダックのモデルＸＬ７７００サーマルカラープリンタで実施されている。このプリンタにおいては画像（染料）レシーバシートの１辺上に、その中心を離れて１列の刻み目（ノッチ）が付けられており、さらに、使用者がこのプリンタに用紙をセットする際にこれらの用紙を正しい方向に向けられるように（例えばプリンタ、もしくは用紙のパッケージ上に）ラベルが付けられている。それでもこの技術は使用者がラベルによる指示に従わずにプリンタに用紙をセットした場合には印刷ミスを引き起こしてしまう。
【０００５】
１９８５年８月２０日に発行された米国特許番号４，５３６，７７２（Ｍ．イソガイ）は、染料を供与するいわゆるドナーシート（染料シート）にノッチを付けたサーマルプリンタを開示している。このようなノッチの目的は染料シートのフレーム内にある染料の色を示す事である。より詳細には、これらのフレームはフレームのホルダから選択的に送り出され、ノッチで上記のフレームが正確な順番で適用されている事を確認する事ができる。しかし、これによって染料トナーシートのセット方向の間違いを防ぐ事はできない。
【０００６】
【発明が解決しようとする課題】
このような片面しかコーティング処理されていない画像（染料）レシーバシートがプリンタにセットされる際に、このシートが適切な方向に向けて置かれた事を確認するような技術が供給される事が切望されている。
【０００７】
本発明は１つの面から見ると、画像を印刷（ｉｍｐｏｓｅ）されるに先立ってその画像をレシーバシートがプリンタの印刷領域の中で適切な向きにあるかどうかを検知する方法ならびに装置を提供することを目的とする。
【０００８】
本発明は別の面から見ると、少なくとも１つの画像レシーバシートの中の１つの特定された主要面のみに施された画像レシーバ用コーティング上に、別々の画像が印刷されるような印刷装置を提供することを目的とする。
【０００９】
【課題を解決するための手段及び作用】
本発明の方法は、詳細には、主要面の一方にしか画像レシーバ用コーティングを施していないような画像レシーバシートが、このシート上に画像を印刷するための適切な方向に向いている事を確認する方法である。
【００１０】
本発明のこの方法によれば、その第一のステップでは、画像レシーバ用のコーティングを施された主要面との関係から予め定められた位置に、画像レシーバシートのほぼ直線な辺のうちの少なくとも１つに沿って不規則形部分が形成される。第二のステップでは画像レシーバ用シートへの印刷に先行して予め定められた位置にその不規則形部分が存在するかしないかが検知される。そして第三のステップでは、前記の不規則形部分が存在しない事を検知した場合その画像が画像レシーバシートへの印刷が選択的に抑止される。
【００１１】
また、本発明の装置は、画像レシーバ用のコーティングを施された一方の主要面との関係から予め定められた位置に個々の画像レシーバシートのほぼ直線な辺の少なくとも１つに沿って形成される不規則形部分と、検知装置と、さらに選択的（抑止）手段とからなる。
【００１２】
本発明のこの検知装置は画像レシーバシートが画像を印刷されるに先立って予め定められた位置に不規則形部分が存在するか否かを検知する。前記検知装置は上記の不規則形部分が存在する事を検出するとそれに反応して第一の出力信号を出力し、さらにその不規則形部分が存在しない事を検出するとそれに反応して第二の信号を出力する。前記選択手段は検知手段からの第一の出力信号に反応すれば選択的に画像レシーバシート上に画像を印刷し、さらに検知手段からの第二の出力信号に反応すればその画像の画像レシーバシート上への印刷が抑止される。
本発明は以下の図ならびに請求項を伴う詳細にわたる記述から、より良く理解されるだろう。
【００１３】
【実施例】
図１には、サーマルプリンタ１０の一部のブロック図並びに側面図が示されている。プリンタ１０は、従来から良く知られている印刷過程において使用されるものであり、プリンタコントローラ１９並びに染料供給ウエブ（巻取り紙）もしくはシート１６と、画像（染料）レシーバシート１４とさらにプラテン１８へと順に押しつけられて接着する際に使用される抵抗素子サーマルヘッド１２とを含んでいる。
【００１４】
このサーマルヘッド１２は１つの列もしくは配列をなす多数の抵抗素子（図には示されていない）からなる。印刷過程においては染料供給ウエブ１６から画像（染料）レシーバシート１４へ転写される染料の量を可変するために、この抵抗素子は予め定められた値にまで選択的に通電される。サーマルプリントヘッド抵抗素子１２の選択的な通電並びにプラテン１８の回転はそれぞれプリンタコントローラ１９によって制御される。印刷操作上では画像（染料）レシーバシート１４並びに染料供給ウエブ１６はプラテン１８上に取り付けられ、制御された方式でサーマルプリントヘッド１２を通過し、これによって染料供給ウエブ１６に接した画像（染料）レシーバシート１４の主要面上に完全な画像が生産されるまで連続したピクセル（画素）列（図には示されていない）が形成される。
【００１５】
ここで図２、３、４並びに５には、本発明の別々な実施例に従った画像（染料）レシーバシートの一部に関する様々な組合せ（ａｒｒａｎｇｅｍｅｎｔ）についての平面図が示されている。個々の画像（染料）レシーバシートは、染料供給ウエブ１６（図１にのみ示されている）から最適な染料の転写を受けるように画像（染料）レシーバ用のコーティングを施された第１の主要面のみを有する。
【００１６】
より詳細に言えば、図２には本発明の第一の実施例に従った画像レシーバシート２０の平面図が示されている。この画像レシーバシート２０は画像（染料）レシーバ用コーティングを施された第１の主要面２６と関連して予め定められた画像（染料）レシーバシート２０のエッジ２４中に形成された長方形に凹んだノッチ２２を含む。このノッチ２２は長方形である代わりに三角形や円形もしくは曲線を呈する形状でも好適である。
【００１７】
図３には本発明の第二の実施例に従った画像レシーバシート３０の平面図が示されている。この画像レシーバシート３０は予め定められた画像（染料）レシーバシート３０上のエッジ３４中に画像（染料）レシーバ用のコーティングを施された第１の主要面３６との関連して形成された長方形の凸型の突起部分を含む。上述した実施例と同様に、この突起部分３２は長方形である代わりに三角形や円形もしくは曲線を呈する形状でも好適である。
【００１８】
図４には本発明の第三の実施例に従った画像レシーバシート４０の平面図が示されている。この画像レシーバシート４０は画像（染料）レシーバシート４０の予め定められたエッジ４４中に、画像（染料）レシーバ用コーティングを施された第１の主要面４６との関連から形成された不規則形部分４２を含む。このような不規則形部分は２重の浅い弓型をしているが、他の適切な形状を採ることも好適である。
【００１９】
図５には本発明の第四の実施例に従った画像レシーバシート５０の平面図が示されている。画像レシーバシート５０は画像（染料）レシーバ用のコーティングを施された画像（染料）レシーバシート５０の第一のエッジ５４中に第１の主要面と関連して予め定められた位置に形成された凹んだ不規則形部分５２（例えば浅い二重の弓型）を含む。第二の凸型の不規則形部分５３（例えば、不規則形部分５２と相補的な浅い二重の弓型）もまた画像（染料）レシーバシート５０の第一のエッジ５４と反対側の第二のエッジ５５中に予め定められた位置に形成される。このような不規則形５２ならびに５３は２重の浅い弓型をしているが、他の適切な形状を採ることも好適である。
【００２０】
不規則形部分（刻み目、突起、不連続部分等）のいかなる適切な形状であっても、本発明に従って主要面の片面のみをコーティングされた画像（染料）レシーバシートの１つもしくは複数のエッジ中のいかなる予め定められた位置にでも使用可能である事が容易に理解されよう。より詳細に言えば、図２、４並びに図５においては画像（染料）レシーバシートの少なくとも１つのエッジにおいて、このシートの微小な面積の領域が予め定められた適切な形状で除去されている。この除去されたシートの一部については（以下の図６並びに図７に記載されているように）、検出器が上記画像（染料）レシーバシートがプリンタの中で予め定められた位置に配置された場合に、正規の位置よりも前記不規則形部分の寸法上の変動が許容最大値を越えていることを検出できる程度の寸法となるように形成されている。
【００２１】
図３並びに図５においては、画像（染料）レシーバシートはそのエッジに余分な部分が付加されている。この図３並びに図５に示された画像（染料）レシーバシートは、（プリンターヘッドが移動できる最大位置において、プリンターヘッドの移動方向と）直行するラインによって表される突起等を含む領域と、ほぼ同面積の紙面が浪費されるため、より高価となる。視覚的な美しさの点からは凹状の弓型もしくは二次的には長方形もしくは三角形のノッチが好ましい実施例である。
【００２２】
図６は、これは図１のサーマルプリンタへ多数の画像（染料）レシーバシート６１を保持し、さらにその後そのシートを１枚ずつ送るために使用される設置トレイの装置６０を示す側断面図である。この装置は設置トレイ６２、前記トレイ６２内に積み上げられた多数の凹型のノッチもしくは弓型の領域６４を有する画像（染料）レシーバシート６１と、さらにレバー位置検知装置に連動した可動レバー６６からなる機械的装置、並びに送りローラ６８を含む。
【００２３】
作動中、多数の画像（染料）レシーバシート６１は使用者によって設置トレイ６２内に積み上げられる。レバー６６はトレイ６２内に配置され、シート６１が正しい位置に設置された場合に目印のノッチ領域６４に休止するように設定されている。画像（染料）レシーバシート６１の中の１枚でも設置ミスがあれば、シートのノッチ領域６４がレバー６６の位置する所の他の位置にあるためにレバー６６はノッチの領域６４に休止する事ができない。従って前記レバー６６は外側に向かって移動しシートのノッチ領域６４のない側にかみ合う。検知装置７０はレバー６６と機械的に連動してレバー６６の向きを検出する。従って検知装置７０は、レバー６６が前記ノッチ６４に中に休止している事によってシート６１が的確に設置されている事を検出した場合、送りローラ６８を回転させて積み上げられた多数のシートの中の一番上にあるシート６１をトレイからプリンタへ向かって摩擦によって移動させる。レバー６６が１枚もしくは複数のシート６１が正しく設置されていないためにノッチの領域６４内に休止していない場合には、検知装置７０は警報を発するかもしくは画像（染料）レシーバシート６１が図１の印刷装置へ送り出されるのを妨害する。この方式においてレバー６６の機械的装置並びに検知装置７０は画像（染料）レシーバ用のコーティングを施された面を含めた画像（染料）レシーバシート６１の主要面が本発明に従った設置トレイ６２内に適切な向きに設置されている事を確認する。
【００２４】
ここで図７について述べると、これは積み上げられた多数の画像（染料）レシーバシート８４を保持し、その後図１に示された本発明に従ったサーマルプリンタへ１枚ずつ送り出す目的で使用される、設置トレイ８２の装置８０の側断面図である。この装置８０は設置トレイ８２、ノッチ領域８６を含み、設置トレイ８２内に積み上げられた多数の画像（染料）レシーバシート８４、送りローラ８８、光源９０ａ並びに出力用のリード線を付けた光検出器９０ｂからなる光学的エッジ検知装置と、さらに光源９２ａ並びに出力用のリード線９６を付けた光検出器９２ｂからなる光学的ノッチ領域検知装置とを含む。
【００２５】
作動中、多数の画像（染料）レシーバシート８４は使用者によって設置トレイ８２の中に積み上げられる。個々の画像（染料）レシーバシート８４は送りローラ８８によって矢印Ａの方向へトレイ８２から送り出されるとき、光検出器９０ｂはリードエッジ９４位置の存在を検知しさらに前記光検出器９２ｂは通過する個々の画像（染料）レシーバシート８４のノッチ領域が存在するかどうかを大ざっぱに検知する。
【００２６】
作動中、光源９２ａから光検出器９２ｂ上に投影された光ビーム９３が遮断されない場合は、ノッチ領域の光検出器９２ｂは第一の値を有する出力信号をリード線９６に生産する。これは光源９２ａと光検出器の間を通過するシート８４が全くないか、もしくは凹型のノッチ領域８６がほぼノッチ検知装置の光ビーム９３内に配置されている場合におこる。シート８４のエッジがノッチ検知装置の光検出器９２ｂに投影される光ビーム９３を遮断する場合は、画像（染料）レシーバシート８４が存在する事を指示する目的で第二の値を有する出力信号がリード線９６に出力される。前記光ビーム９３が始めに画像（染料）レシーバシート８４の前縁９４によって遮断された後に（不規則形部分は前記シート８４の前縁９４の角にはないと仮定して）凹型の不規則形部分が存在するかどうかを検出する事によって、前記ノッチ検知装置はそれ自身で画像（染料）レシーバシート８４が正しい向きに置かれているかどうかを確認するために使用する事ができる。
【００２７】
しかしながら、個々の画像（染料）レシーバシート８４の前縁９４を検出するためには、光学的エッジ検知装置は光源９０ａ並びに光検出器９０ｂを含む事が好ましい。これは凹型の不規則形部分８６を検出するための、画像（染料）レシーバシート８４の前縁９４が検出された後の時間で、かつ予め定められた短い期間内におさまる正確な開始時間を供給する。より詳細には、例えば光源９０ａから光検出器９０ｂに達する光ビーム９３が遮断された場合は前記エッジ検知装置は第一の値を有する出力信号をリード線９７に転送し、さらに光ビーム９１が遮断されない場合は第二の値を有する出力信号をリード線９７に転送する。従って画像（染料）レシーバシート８４の両方の前縁９４が光学的エッジ検知装置の光検出器９０ｂによって光ビーム９１の遮断に基づいて検出され、さらにノッチ領域８６はその後すぐに光検出器９０ｂが画像（染料）レシーバシート８４の後縁を検出するに先立って光学的ノッチ検知装置による光検出器９２ｂによって検出され、画像（染料）レシーバシート８４が正確な向きに置かれている事が確定される。別の述べかたをすれば、エッジ検知装置中の光検出器９０ｂからの第一の値を有する出力信号並びにノッチ領域検知装置の光検出器９２ｂからの第一の値を有する出力信号の組合せが画像（染料）レシーバシート８４の後縁が検出される前の予め定められた長さの時間内に生じる事が画像（染料）レシーバシート８４が正しい向きにある事を示す。
【００２８】
図１のプリンタ１０の中の付加的な装置（示されていない）は光検出器９０ｂ並びに９２ｂから出力されたリード線９７並びに９６上の前記信号をそれぞれ受信する。このような付加的な装置は第一の出力信号がエッジ検知装置の光検出器９０ｂ並びにノッチ検知装置の光検出器９２ｂによって同時に転送された場合に画像を画像（染料）レシーバシート上へ印刷する事を可能にする。しかしながら、画像（染料）レシーバシートの前縁が光検出器９０ｂによって検出され、さらにノッチ領域８６がその後すぐに光検出器９２ｂによって検出されない場合には前記画像（染料）レシーバシートは適切に設置されていないと判断される。それから付加的な装置はいかなる染料もそこへ印刷する事なしに前記画像（染料）レシーバシート８４を印刷領域から送り出す。
【００２９】
さらに付け加えて、画像（染料）レシーバシートを設置する使用者にサーマルプリンタにシートが正しく設置されていない事、もしくは印刷されていないシート８４が排出された事を示す目的で前記光検出器９０ｂ並びに９２ｂからそれぞれ出力されたリード線９７並びに９６上の信号はプリンタコントローラを含む事のできる電気的な装置を通過経路とする事ができる。使用者による問題の是正を促す目的で、視覚的な表示（図示されていない）もしくは音声信号を発生する警報装置（図示されていない）を含める事が可能である。
【００３０】
ここに記載された本発明の特定の実施例は単に本発明の一般的原理を説明するのみである事は尊重されさらに理解されるべきである。様々な修正がここに記載された原理に一致した技術における通常の熟練者によって実施可能である。例えば、光学的ノッチ領域図７のノッチ領域検知装置９２に関して記載されたように検知装置は設置トレイ６２の中のおよそのノッチ領域の中では図６に示された機械的な装置６６並びに検知装置７０によって置き換える事が可能である。
【００３１】
【発明の効果】
以上説明したように、本発明によれば、レシーバシートが印刷面が正しい向きに設定されているかどうかを、確認することができ、レシーバシートが誤った向きに設置されたまま印刷が行われることを防止することが可能である。
【図面の簡単な説明】
【図１】一般的なサーマルプリンタのプラテン／プリントヘッド領域のブロック側面図である。
【図２】本発明の第一の実施例に従ったプリンタに使用するための、画像（染料）レシーバシートの平面図である。
【図３】本発明の第二の実施例にしたがったプリンタで使用する画像レシーバシートの平面図である。
【図４】本発明の第三の実施例にしたがったプリンタで使用する画像レシーバシートの平面図である。
【図５】本発明の第四の実施例にしたがったプリンタで使用する画像レシーバシートの平面図である。
【図６】サーマルプリンタに連結し、図２、４並びに５に示された画像（染料）レシーバシートを置くための設置トレイの側断面図であり、その設置トレイは画像（染料）レシーバシートが本発明中の前記設置トレイ内で適切な向きにある事を確認するような機械的装置を含む。
【図７】サーマルプリンタに連結し、図１ないし４に示された画像（染料）レシーバシートを置くための設置トレイ、並びに本発明に従ったプリンタ中へ画像（染料）レシーバシートを送る際にこのシートが適切な向きに置かれている事を確認するような視覚的な不規則性検知装置の側断面図である。
【符号の説明】
１０  サーマルプリンタ
１２  抵抗素子サーマルヘッド
１４、２０、３０、４０、５０、６１、８４  画像（染料）レシーバシート
１６  染料供給ウエブ、染料供給シート
１８  プラテン
１９  プリンタコントローラ
２２  ノッチ部分（不規則形部分）
２４、３４、４４、５４、５５、９４  シートエッジ
２６、３６、４６、５６  画像レシーバ用コーティングされた主要面
３２  突起部分（不規則形部分）
４２  凹んだ２重の浅い弓型部分（不規則形部分）
５２  凹んだ２重の浅い弓型部分（不規則形部分）
５３  凸型の２重の浅い弓型部分（不規則形部分）
６０、８０  画像レシーバシート設置トレイ装置
６２、８２  画像レシーバシート設置トレイ
６４、８６  ノッチ（不規則形部分）領域
６６  レバー
６８、８８  送りローラ
７０  検知装置
９０ａ、９２ａ  光源
９０ｂ、９２ｂ  光検出器
９１、９３  光ビーム
９６、９７  リード線
【図１】
0003822253.tif 000002
【図２】
0003822253.tif 000003
【図３】
0003822253.tif 000004
【図４】
0003822253.tif 000005
【図５】
0003822253.tif 000006
【図６】
0003822253.tif 000007
【図７】
0003822253.tif 000008